(57)【要約】  ペット給水装置、およびペット給水装置用のブロッキング防止ウォーターポンプが開示され、ペット給水装置は、貯水タンク（１）、給水トレイ（２）、およびウォーターポンプ（５）を備え、貯水タンク（１）の上端には、開口が開設され、貯水タンク（１）はさらに第１の支持構造（１０１）が設けられ、給水トレイ（２）は貯水タンク（１）の開口を覆い、第１の支持構造（１０１）によって支持され、給水トレイ（２）には、水入口（３）と水出口（４）が設けられ、ウォーターポンプ（５）は貯水タンク（１）内に配置され、ウォーターポンプ（５）の水出口コネクタはパイプラインを介して水入口（３）と連絡しており、ウォーターポンプ（５）によって貯水タンク（１）内の水を給水トレイ（２）に汲み上げ、そして、給水トレイ（２）内の水は水出口（４）を通って貯水タンク（１）に流れ戻る。このペット給水装置は、構造がコンパクトで、ペットが水を飲むのに便利であり、給水トレイ（２）はペットによって簡単に転倒されない。【選択図】図１
2021531010.tif 000002
【特許請求の範囲】
【請求項１】
上端に開口が開設され、かつ第１の支持構造（１０１）が設けられる貯水タンク（１）と、
前記貯水タンク（１）の前記開口を覆い、前記第１の支持構造（１０１）によって支持され、水入口（３）と水出口（４）が設けられる給水トレイ（２）と、
前記貯水タンク（１）内に配置されるウォーターポンプ（５）とを備え、
前記ウォーターポンプ（５）の水出口コネクタはパイプラインを介して前記水入口（３）と連絡し、前記ウォーターポンプ（５）によって前記貯水タンク（１）内の水を前記給水トレイ（２）に汲み上げ、前記給水トレイ（２）内の水は前記水出口（４）を通って前記貯水タンク（１）内に流れ戻る、ことを特徴とするペット給水装置。
【請求項２】
水中の不純物を濾過するための第１のフィルター本体（６）をさらに備え、前記第１のフィルター本体（６）は前記貯水タンク（１）内に配置され、前記水出口（４）の下方に位置し、前記水出口（４）から流出する前記給水トレイ（２）内の水は前記第１のフィルター本体（６）によって濾過され、次に前記貯水タンク（１）内に流れ戻る、ことを特徴とする請求項１に記載のペット給水装置。
【請求項３】
前記第１のフィルター本体（６）を支持するための第２の支持構造（９）をさらに備え、前記第２の支持構造（９）は前記水出口（４）の下方に位置する、ことを特徴とする請求項２に記載のペット給水装置。
【請求項４】
前記第２の支持構造（９）上に、前記第１のフィルター本体（６）を配置するための空洞が設けられ、前記空洞の上壁面および前記空洞の下壁面にそれぞれ複数の貫通穴（１０）が並んで設けられ、前記水出口（４）は前記給水トレイ（２）の縁に沿って設けられた帯状の開口であり、前記複数の貫通穴（１０）はすべて前記帯状の開口の下方に位置し、且つ前記複数の貫通穴（１０）の配列方向は前記帯状の開口の長さ方向と一致している、ことを特徴とする請求項３に記載のペット給水装置。
【請求項５】
前記第２の支持構造（９）および前記給水トレイ（２）は、スナップ構造によって接続される、ことを特徴とする請求項３または４に記載のペット給水装置。
【請求項６】
前記給水トレイ（２）上に、水を受け取るための窪み（７）が設けられ、前記水出口（４）は前記窪み（７）の縁位置に設けられる、ことを特徴とする請求項１から５のいずれか１項に記載のペット給水装置。
【請求項７】
前記水入口（３）の水平面の高さは前記水出口（４）の水平面の高さ以上である、ことを特徴とする請求項１から６のいずれか１項に記載のペット給水装置。
【請求項８】
前記給水トレイ（２）上に、人間の手で把持して前記貯水タンク（１）の前記開口を開くための把持部（８）が設けられ、前記把持部（８）は前記給水トレイ（２）の上面から突出している、ことを特徴とする請求項１から７のいずれか１項に記載のペット給水装置。
【請求項９】
前記ウォーターポンプ（５）の始動および停止を制御するための制御装置（１１）をさらに備え、前記制御装置（１１）は前記貯水タンク（１）の外側底部に配置される、ことを特徴とする請求項１から８のいずれか１項に記載のペット給水装置。
【請求項１０】
前記ウォーターポンプ（５）に接続される濾過装置をさらに備え、前記濾過装置はケーシング（１２）、および前記ケーシング（１２）内に配置された第２のフィルター本体（１３）を含み、前記ケーシング（１２）の両端にそれぞれ第１の開口および第２の開口が設けられ、前記第１の開口は前記ウォーターポンプ（５）の水入口と連絡し、前記ケーシング（１２）の前記第１の開口は前記ウォーターポンプ（５）の外周に嵌設されて相互にクランプされる、ことを特徴とする請求項１から９のいずれか１項に記載のペット給水装置。
【請求項１１】
前記ケーシング（１２）上にスロット（１４）が設けられ、前記第２のフィルター本体（１３）は前記スロット（１４）を通じて前記ケーシング（１２）内に挿入される、ことを特徴とする請求項１０に記載のペット給水装置。
【請求項１２】
前記第２の開口に粗い濾過のためのグリッド構造（１５）を備えていることを特徴とする請求項１０または１１に記載のペット給水装置。
【請求項１３】
前記第２のフィルター本体（１３）はスポンジである、ことを特徴とする請求項１０から１２のいずれか１項に記載のペット給水装置。
【請求項１４】
前記貯水タンク（１）を取り囲むためのハウジング（１６）をさらに備え、前記ハウジング（１６）の底部に滑り止めパッド（１７）が設けられ、前記ハウジング（１６）の側壁に帯状穴（１８）が設けられ、前記帯状穴（１８）に対応する前記貯水タンク（１）の側壁の材質は、前記帯状穴（１８）を通じて前記貯水タンク（１）内の水位を観察できるように、透明材である、ことを特徴とする請求項１から１３のいずれか１項に記載のペット給水装置。
【請求項１５】
水中の不純物を粗い濾過し、スロット（１４）が開設されるケーシング（１２）と、
前記スロット（１４）を通じてポンプ本体の水流路に配置され、前記ケーシング（１２）からポンプ本体に進入した水の不純物を濾過する第２のフィルター本体（１３）と、
前記ケーシング（１２）と係合されてウォーターポンプ作業キャビティを形成するウォーターポンプ本体と、を備える、ことを特徴とするペット給水装置用のブロッキング防止ウォーターポンプ。
【発明の詳細な説明】
【技術分野】
【０００１】
本発明の実施例は、動物用の給水装置の技術分野に関し、より具体的には、ペット給水装置、およびペット給水装置用のブロッキング防止ウォーターポンプに関する。
【背景技術】
【０００２】
人々の生活水準の継続的な改善により、ペットを飼育することは流行になっている。同時に、ブリーダーはペットの生活水準、特に飲食に関してより注意を払っている。
【０００３】
従来のペット給水装置は給水トレイおよび貯水タンクを含み、給水トレイは貯水タンクの一側に設けられ地面に接しているが、ペット給水装置の全体的な構造は比較的散在しており、十分にコンパクトではなく、ペットが水を飲むとき不便になることがあり、ペット給水装置の給水トレイは通常皿やお椀のような形をしているため、ペットによって簡単に転倒される可能性がある。
【０００４】
従って、従来技術において、ペット給水装置の構造が比較的分散し、給水トレイがペットによって簡単に転倒されるという問題をどのように解決するかが、当業者が解決すべき重要な技術的問題となっている。
【発明の概要】
【０００５】
本発明の目的は、従来技術におけるペット給水装置の構造が比較的分散し、給水トレイがペットによって簡単に転倒されるという技術的問題を解決するためのペット給水装置を提供する。本発明によって提供されるさまざまな技術的解決策中の好ましい技術的解決策によって生み出され得る多くの技術的効果を以下に詳細に説明する。
【０００６】
本発明の実施例によって提供されるペット給水装置は、上端に開口が開設され、かつ第１の支持構造（１０１）が設けられる貯水タンク（１）と、前記貯水タンク（１）の前記開口を覆い、前記第１の支持構造（１０１）によって支持され、水入口（３）と水出口（４）が設けられる給水トレイ（２）と、前記貯水タンク（１）内に配置されるウォーターポンプ（５）とを備え、前記ウォーターポンプ（５）の水出口コネクタはパイプラインを介して前記水入口（３）と連絡し、前記ウォーターポンプ（５）によって前記貯水タンク（１）内の水を前記給水トレイ（２）に汲み上げ、前記給水トレイ（２）内の水は前記水出口（４）を通って前記貯水タンク（１）内に流れ戻る。
【０００７】
本発明のいくつかの実施例では、ペット給水装置は、水中の不純物を濾過するための第１のフィルター本体（６）をさらに備え、前記第１のフィルター本体（６）は前記貯水タンク（１）内に配置され、前記水出口（４）の下方に位置し、前記水出口（４）から流出する前記給水トレイ（２）内の水は前記第１のフィルター本体（６）によって濾過され、次に前記貯水タンク（１）内に流れ戻る。
【０００８】
本発明のいくつかの実施例では、ペット給水装置は、前記第１のフィルター本体（６）を支持するための第２の支持構造（９）をさらに備え、前記第２の支持構造（９）は前記水出口（４）の下方に位置する。
【０００９】
本発明のいくつかの実施例では、前記第２の支持構造（９）上に、前記第１のフィルター本体（６）を配置するための空洞が設けられ、前記空洞の上壁面および前記空洞の下壁面にそれぞれ複数の貫通穴（１０）が並んで設けられ、前記水出口（４）は前記給水トレイ（２）の縁に沿って設けられた帯状の開口であり、前記複数の貫通穴（１０）はすべて前記帯状の開口の下方に位置し、且つ前記複数の貫通穴（１０）の配列方向は前記帯状の開口の長さ方向と一致している。
【００１０】
本発明のいくつかの実施例では、前記第２の支持構造（９）および前記給水トレイ（２）は、スナップ構造によって接続される。
【００１１】
本発明のいくつかの実施例では、給水トレイ（２）上に、水を受け取るための窪み（７）が設けられ、前記水出口（４）は前記窪み（７）の縁位置に設けられる。
【００１２】
本発明のいくつかの実施例では、水入口（３）の水平面の高さは前記水出口（４）の水平面の高さ以上である。
【００１３】
本発明のいくつかの実施例では、給水トレイ（２）上に、人間の手で把持して前記貯水タンク（１）の前記開口を開くための把持部（８）が設けられ、前記把持部（８）は前記給水トレイ（２）の上面から突出している。
【００１４】
本発明のいくつかの実施例では、ペット給水装置は、ウォーターポンプ（５）の始動および停止を制御するための制御装置（１１）をさらに備え、前記制御装置（１１）は前記貯水タンク（１）の外側底部に配置される。
【００１５】
本発明のいくつかの実施例では、ペット給水装置は、ウォーターポンプ（５）に接続される濾過装置をさらに備え、前記濾過装置はケーシング（１２）、および前記ケーシング（１２）内に配置された第２のフィルター本体（１３）を含み、前記ケーシング（１２）の両端にそれぞれ第１の開口および第２の開口が設けられ、前記第１の開口は前記ウォーターポンプ（５）の水入口と連絡し、前記ケーシング（１２）の前記第１の開口は前記ウォーターポンプ（５）の外周に嵌設されて相互にクランプされる。
【００１６】
本発明のいくつかの実施例では、ケーシング（１２）上にスロット（１４）が設けられ、前記第２のフィルター本体（１３）は前記スロット（１４）を通じて前記ケーシング（１２）内に挿入される。
【００１７】
本発明のいくつかの実施例では、第２の開口に粗い濾過のためのグリッド構造（１５）を備えている。
【００１８】
本発明のいくつかの実施例では、第２のフィルター本体はスポンジである。
【００１９】
本発明のいくつかの実施例では、ペット給水装置は、貯水タンク（１）を取り囲むためのハウジング（１６）をさらに備え、前記ハウジング（１６）の底部に滑り止めパッド（１７）が設けられ、前記ハウジング（１６）の側壁に帯状穴（１８）が設けられ、前記帯状穴（１８）に対応する前記貯水タンク（１）の側壁の材質は、前記帯状穴（１８）を通じて前記貯水タンク（１）内の水位を観察できるように、透明材である。
【００２０】
本発明の実施例によってさらに提供されるペット給水装置用のブロッキング防止ウォーターポンプは、水中の不純物を粗い濾過し、スロット（１４）が開設されるケーシング（１２）と、前記スロット（１４）を通じてポンプ本体の水流路に配置され、前記ケーシング（１２）からポンプ本体に進入した水の不純物を濾過する第２のフィルター本体（１３）と、前記ケーシング（１２）と係合されてウォーターポンプ作業キャビティを形成するウォーターポンプ本体と、を備える。
【発明の効果】
【００２１】
本発明の実施例によって提供されるペット給水装置は、貯水タンクの上端の開口に給水トレイが設けられ、給水トレイに水入口および水出口が設けられ、ペットが飲むために貯水タンク中のウォーターポンプによって貯水タンク中の水が水入口から給水トレイに汲み上げられ、同時に給水トレイ内の水が水出口を通じて貯水タンクに再び入り、循環水流を形成することができ、ペット給水装置の構造が簡単でコンパクトであり、一目で明確になり、ペットが飲みやすく、給水トレイがペットによって転倒されるのを防ぐ。
【図面の簡単な説明】
【００２２】
本発明の実施例または従来技術中の技術的解決策をより明確に説明するために、実施例または従来技術の説明で使用される図面を以下に簡単に説明するが、以下説明される図面は本発明のいくつかの実施例に過ぎず、当業者であれば創造的な労働をせずにこれらの図面に基づいて他の図面を得ることができるのは明らかである。
【図１】本発明の実施例におけるペット給水装置の断面図である。
【図２】本発明の実施例におけるペット給水装置の構造概略図である。
【図３】本発明の実施例におけるペット給水装置の正面図である。
【図４】本発明の実施例の第２の支持構造の概略図である。
【図５】本発明の実施例のウォーターポンプの構造概略図である。
【図６】本発明の実施例の濾過装置の構造概略図である。
【図７】本発明の実施例におけるペット給水装置用のブロッキング防止ウォーターポンプのウォーターポンプ本体の一部の構造概略図である。
【発明を実施するための形態】
【００２３】
本発明の目的、技術的解決策および利点をより明確にするために、本発明の技術的解決策を以下に詳細に説明する。明らかに、説明される実施例は本発明の一部の実施例に過ぎず、すべての実施例ではない。本発明の実施例に基づいて、当業者は創造的な労働をせずに得られたすべての他の実施形態は、本発明の保護範囲に含まれる。
【００２４】
従来のペット給水装置は全体的な構造が比較的分散し、十分にコンパクトではなく、給水トレイがペットによって簡単に転倒される問題に加えて、貯水タンク内の水が長期間を経って汚れて水質が悪くなる問題もある。
【００２５】
本実施形態の目的は、従来技術のペット給水装置における構造が比較的分散し、給水トレイがペットによって簡単に転倒され、長期間を経って水質が悪くなる問題を解決するためのペット給水装置を提供することである。
【００２６】
以下、図面を参照して実施例を説明する。また、以下に示す実施例は、特許請求の範囲に記載された発明の内容を決して限定するものではない。なお、以下の実施例に示される構成のすべての内容は、特許請求の範囲に記載される発明の解決策として必要とされるものに限定されない。
【００２７】
図１を参照して、本実施例では、ペット給水装置は貯水タンク１、給水トレイ２、ウォーターポンプ５を備え、貯水タンク１の上端に開口が開設され、貯水タンク１に第１の支持構造１０１がさらに設けられ、給水トレイ２は貯水タンク１の開口を覆い、第１の支持構造１０１に配置されるのに相当し、第１の支持構造１０１によって支持され、給水トレイ２はペットが飲むのに必要な水を収容し、第１の支持構造１０１は給水トレイ２を支持し、第１の支持構造１０１は貯水タンク１の上縁として設けられ、すなわち給水トレイ２は直接貯水タンク１の上端を覆い、好ましくは、図１に示すように、第１の支持構造１０１は貯水タンク１の内壁に設けられた突起であり、給水トレイ２は突起の上端に設けられており、給水トレイ２の移動を防止することができる。ペットは給水トレイ２上の水を飲み、給水トレイ２上に水入口３および水出口４が設けられる。ウォーターポンプ５は貯水タンク１内に配置され、ウォーターポンプ５の水出口コネクタはパイプライン２０を介して水入口３と連絡し、ウォーターポンプ５によって貯水タンク１内の水を給水トレイ２に汲み上げる。給水トレイ２内の水が水出口４から給水トレイ２に流入してから、貯水タンク１に戻る。
【００２８】
本発明の実施例によって提供されるペット給水装置では、貯水タンクの上端の開口に給水トレイが設けられ、給水トレイ上に水入口および水出口が設けられ、ペットが飲むために貯水タンク中のウォーターポンプによって貯水タンク中の水を水入口から給水トレイに送り込んで、同時に給水トレイ内の水が水出口から再び貯水タンクに戻り、循環水流を形成することによって、ペット給水装置の構造が簡単でコンパクトであり、一目で明確になり、ペットが容易に水を飲み、給水トレイがペットによって簡単に転倒されるのを防ぐ。
【００２９】
本発明の一実施例によれば、ペット給水装置は、水中の不純物を濾過するための第１のフィルター本体６をさらに備える。第１のフィルター本体６は貯水タンク１内に配置され水出口４の下方に位置し、このように、水出口４から流出した給水トレイ２内の水が第１のフィルター本体６によって濾過された後貯水タンク１内に流れ戻り、第１のフィルター本体６は貯水タンク１の側壁に接続されてもよく、給水トレイ２の底部に接続されてもよいが、水出口４の下方に位置すればよい。好ましい実施例では、第１のフィルター本体６はフィルターエレメントである。
【００３０】
このようにして、ウォーターポンプ５が始動した後、ペットが水を飲むために、貯水タンク１内の水はウォーターポンプ５の水出口コネクタからパイプラインを通って水入口３を介して給水トレイ２内に流入し、同時に給水トレイ２内の水は給水トレイ２の水出口４から流出し、第１のフィルター本体６によって濾過された後、再び貯水タンク１に流入し、循環を形成し、第１のフィルター本体６は水中の不純物を濾過でき、給水トレイ２および貯水タンク１内の水質を確保し、水質の劣化を遅らせ、ペット飲用水の味を改善し、そして給水トレイ２は貯水タンク１の上端に設けられ、給水トレイ２がペットによって簡単に転倒されなく、容易に飲用できる。水循環システム全体の構造が簡単でコンパクトであり、一目で明確になる。
【００３１】
選択可能な実施形態として、給水トレイ２に水を受け取るための窪み７が設けられ、図１に示すように、水出口４が窪み７の縁位置に設けられ、このようにして、窪み７が水で満たされた後、水が溢れ出て、水出口４を介して貯水タンク１内に流入する。好ましくは、窪み７の表面は円弧面である。他の実施例では、水出口４が窪み７の底部、すなわち窪み７の最も低い位置に設けられ、水出口４に水流の流れを制御するためのバルブが設けられ、ペットが水を飲む必要があるとき、水出口４のバルブをオフにして、窪み７に水を受け取り、ペットが水を飲み終えたときまたは飲まなくなったとき、水出口４のバルブをオンにして、窪み７内の水が水出口４を介して貯水タンク１内に流入する。
【００３２】
選択可能な実施形態として、給水トレイ２の対向する両端のうち、一方の端の高さが他端の高さよりも高く、すなわち、給水トレイ２は傾斜状態にある。
【００３３】
ペットが水を飲む必要があるとき、ペットが給水トレイ２の低い端から水を飲み、給水トレイ２の水平状態と比較すると、このようにすれば、ペットの飲水姿勢により適しており、ペットがより容易に水を飲み、さらに、ペットの口の毛が給水トレイ２内の水に入るのをある程度防止することができる。
【００３４】
一実施例では、水入口３の水平面の高さは水出口４の水平面の高さ以上である。
【００３５】
選択可能な実施形態として、図１〜図３に示すように、給水トレイ２上に、人間の手で把持して貯水タンク１の開口を開くための把持部８が設けられ、把持部８は給水トレイ２の上面から突出し、すなわち把持部８は突起構造であり、把持部８は様々な形状であり得る。好ましい実施例では、把持部８は水入口３の近くに設けられる。
【００３６】
このようにして、貯水タンク１に水を加える必要がある場合、人間の手で把持部８を把持して給水トレイ２を開き、給水トレイ２を貯水タンク１の上端から取り外し、貯水タンク１の開口を開いて、貯水タンク１の開口から水を加え、水の添加プロセスがより便利かつ迅速になる。
【００３７】
選択可能な実施形態として、ペット給水装置は第１のフィルター本体６を支持するための第２の支持構造９をさらに含み、第２の支持構造９は給水トレイ２の底端に接続されてもよく、貯水タンク１の側壁に接続されてもよく、つまり、第２の支持構造９は水出口４の下方に位置し、それによって支持される第１のフィルター本体６も水出口４の下方に位置する。好ましい実施例では、第２の支持構造９はフィルターエレメントトレイである。
【００３８】
一実施例では、図４に示すように、第２の支持構造９上に第１のフィルター本体６を配置するための空洞が設けられ、空洞の上壁面および空洞の下壁面にそれぞれ複数の貫通穴１０が並んで設けられ、水出口４は給水トレイ２の縁に沿って設けられた帯状の開口であり、各貫通穴１０はすべて帯状の開口の下方に位置し、貫通穴１０の配列方向は帯状の開口の長さ方向と一致している。水出口４から流出した水は順次空洞の上壁面の貫通穴１０を通過し、次に第１のフィルター本体６によって濾過され、空洞の下壁面の貫通穴１０を通過した後貯水タンク１内に流入する。
【００３９】
このようにして、第２の支持構造９によって第１のフィルター本体６を完全に収容するスペースを形成し、第１のフィルター本体６は位置が変えずに水平に設置され、水が水出口４から流出すると第１のフィルター本体６によって濾過されるのを確保する。
【００４０】
好ましい実施例では、第２の支持構造９と給水トレイ２はスナップ構造によって接続される。具体的には、第２の支持構造９の側壁上に突起が設けられ、給水トレイ２の底面上に垂直板が接続され、垂直板の側壁上に突起と同じ大きさおよび構造の溝が設けられ、突起が溝内に延びるとき、第２の支持構造９と給水トレイ２は接続状態になり、突起が溝から離れたとき、第２の支持構造９と給水トレイ２は分離する。好ましくは、図１に示すように、第１の支持構造１０１は貯水タンク１の内壁上に設けられた傾斜支持リブであり、第２の支持構造９は支持リブに設けられたトレイであり、トレイはまた給水トレイ２との間にスナップ構造を介して接続され、すなわち、給水トレイ２はトレイを介して間接に支持リブに設けられ、給水トレイ２も同様に支持リブによって支持され貯水タンク１の開口を覆う。
【００４１】
このようにして、スナップ構造によって第２の支持構造９と給水トレイ２が着脱可能に接続され、構造が簡単で容易に接続でき、また、貯水タンク１に水を加える場合、第２の支持構造９と給水トレイ２は接続されており、給水トレイ２を開くと第２の支持構造９は給水トレイ２とともに移動し、第２の支持構造９は常に水出口４の下方に位置し、第２の支持構造９は水出口４の下方位置から出ていて水出口４から流出した水が濾過されない状況を回避することができる。
【００４２】
選択可能な実施形態として、図１に示すように、ペット給水装置は制御装置１１をさらに備え、制御装置１１はウォーターポンプ５の始動および停止を制御し、制御装置１１は貯水タンク１の外側底部に設けられ、すなわち、制御装置１１は貯水タンク１の外壁であって底端に近い位置に設けられる。
【００４３】
このようにして、制御装置１１は貯水タンク１の外部に設けられるため、貯水タンク１の内部スペースを占めず、貯水タンク１は可能な限り多くの水を貯蔵できる。
【００４４】
選択可能な実施形態として、図５と図６に示すように、ペット給水装置はウォーターポンプ５に接続された濾過装置をさらに備え、濾過装置はウォーターポンプ５の外面に係合されてもよく、ウォーターポンプ５に粘着されてもよい。濾過装置はケーシング１２とケーシング１２内に設けられた第２のフィルター本体１３を含み、ケーシング１２の両端にそれぞれ第１の開口および第２の開口が設けられ、ケーシング１２の第１の開口はウォーターポンプ５の水入口と連絡し、貯水タンク１内の水は順次ケーシング１２の第２の開口と第１の開口を通過してウォーターポンプ５内に入り、貯水タンク１内の水はケーシング１２内に入るとき第２のフィルター本体１３によって濾過される。
【００４５】
このようにして、濾過装置内の第２のフィルター本体１３は水中の不純物を濾過して、ウォーターポンプ５に流入しようとする水をさらに濾過し、ウォーターポンプ５内に入った水の質を高め、給水トレイ２に汲み上げられた水の質が改善され、また、濾過装置によって水中の不純物を濾過することで、不純物によるウォーターポンプ５の詰まりが発生し、ウォーターポンプ５の作業効率が低下するのを防止することができる。
【００４６】
好ましくは、ケーシング１２の第１の開口はウォーターポンプ５の外周に嵌設されて相互にクランプされる。
【００４７】
このようにして、ケーシング１２とウォーターポンプ５は簡単かつ便利に着脱可能である。
【００４８】
選択可能な実施形態として、ケーシング１２上にスロット１４が設けられ、第２のフィルター本体１３はスロット１４を介してケーシング１２内に挿入される。好ましい実施例では、スロット１４はＵ字形の溝であり、第２のフィルター本体１３の外面はＵ字形の溝の縁に合わせて、すなわち第２のフィルター本体１３の形状はスロット１４の形状と類似または同様であり、第２のフィルター本体１３とスロット１４がより適切に配合され得る。
【００４９】
このようにして、ケーシング１２を通過する水は、第２のフィルター本体１３によって濾過され、濾過効率が向上する。
【００５０】
選択可能な実施形態として、第２の開口に粗い濾過のためのグリッド構造１５が設けられる。
【００５１】
このようにして、最初にグリッド構造１５は濾過装置に流入した水を粗い濾過して、体積の大きい不純物を濾過する。
【００５２】
好ましい実施例では、図６に示すように、第２のフィルター本体１３はスポンジである。
【００５３】
スポンジの穴が小さいので、体積の小さい不純物を濾過でき、より徹底的に水中の不純物を濾過するとともに、スポンジは良好な水透過性を有するため、水がスポンジを通ってウォーターポンプ５内に容易に入ることができる。
【００５４】
他の実施例では、濾過装置は長い場合、第１の開口の縁にノッチを設ける必要があり、ノッチは円弧状の構造を有し、ノッチはウォーターポンプ５本体の水出口コネクタの外面に合わせて、濾過装置が長い場合第１の開口が水出口コネクタによって遮断されて濾過装置がウォーターポンプ５に接続できない状況を回避することができる。
【００５５】
選択可能な実施形態として、図１〜図３に示すように、ペット給水装置は貯水タンク１を取り囲むためのハウジング１６をさらに備える。
【００５６】
このようにして、ハウジング１６は貯水タンク１をある程度保護でき、外部の破壊力による貯水タンク１の損傷を回避することができる。
【００５７】
具体的には、図２および図３に示すように、ハウジング１６の底部に滑り止めパッド１７が設けられ、ハウジング１６の側壁に帯状穴１８が設けられ、帯状穴１８は垂直に設置され、帯状穴１８に対応する貯水タンク１の側壁の材質は透明材であるが、または、貯水タンク１全体の材質は透明材であってもよく、帯状穴１８を介して貯水タンク１内の水位を観察できれば良い。他の実施例では、ハウジング１６に、制御装置１１の位置に対応して接続されたボタンが設けられ、ボタンによって制御装置を制御してウォーターポンプ５の開閉を間接的に制御する。
【００５８】
このようにして、ハウジング１６の底端に設けられた滑り止めパッド１７は滑り防止作用を果たし、ユーザは帯状穴１８を介して貯水タンク１内の水位を観察して、貯水タンク１内の残りの水量を知ることができ、残りの水量に応じて水を加える必要があるかどうかを判断することができる。
【００５９】
上記の各実施例を参照して本ペット給水装置を具体的に説明したが、本実施例では、ペット給水装置は貯水タンク１、給水トレイ２、ウォーターポンプ５、フィルターエレメントおよびトレイを備え、貯水タンク１の上端に開口が開設され、貯水タンク１に第１の支持構造１０１がさらに設けられ、給水トレイ２は貯水タンク１の開口を覆い、第１の支持構造１０１によって支持され、給水トレイ２は貯水タンク１の開口を覆い、給水トレイ２に水入口３および水を受け取るための窪み７が設けられ、窪み７の縁の位置に水出口４が設けられ、ウォーターポンプ５は貯水タンク１内に配置され、ウォーターポンプ５の水出口コネクタはパイプラインを介して水入口３と連絡して、貯水タンク１内の水をウォーターポンプ５によって給水トレイ２に汲み上げ、フィルターエレメントは貯水タンク１内であって水出口４の下方に配置され、水出口４から流出した給水トレイ２内の水はフィルターエレメントによって濾過された後貯水タンク１内に流れ戻り、トレイは水出口４の下方に位置し、トレイ上にフィルターエレメントを配置するための空洞が設けられ、空洞の上壁面および空洞の下壁面にそれぞれ複数の貫通穴１０が並んで設けられ、水出口４は給水トレイ２の縁に沿って設けられた帯状の開口であり、各貫通穴１０はすべて帯状の開口の下方に位置し、貫通穴１０の配列方向は帯状の開口の長さ方向と一致しており、トレイは第１の支持構造１０１に搭載され、トレイは給水トレイ２とスナップ構造によって接続される。給水トレイ２の対向する両端のうち、一方の端の高さは他端の高さよりも高く、給水トレイ２に、人間の手で把持して貯水タンク１の開口を開くための把持部８が設けられ、把持部８は給水トレイ２の上面から突出している。ペット給水装置は、ウォーターポンプ５の開閉を制御するための制御装置１１をさらに備え、制御装置１１は貯水タンク１の外側底部に設けられる。ペット給水装置は、ウォーターポンプ５に接続された濾過装置をさらに備え、濾過装置はケーシング１２とケーシング１２内に配置されたスポンジを含み、ケーシング１２にスロット１４が設けられ、スポンジはスロット１４を介してケーシング１２内に挿入され、ケーシング１２の両端にそれぞれ第１の開口および第２の開口が設けられ、第１の開口はウォーターポンプ５の水入口と連絡し、第１の開口はウォーターポンプ５の外周に嵌設されて相互にクランプされ、第２の開口に粗い濾過のためのグリッド構造１５が設けられる。ペット給水装置は、貯水タンク１を取り囲むためのハウジング１６をさらに備え、ハウジング１６の底部に滑り止めパッド１７が設けられ、ハウジング１６の側壁に帯状穴１８が設けられ、帯状穴１８に対応する貯水タンク１の側壁の材質は、帯状穴１８を介して貯水タンク１内の水位を観察できるように、透明材である。
【００６０】
このようにして、フィルターエレメントおよび濾過装置によって水中の不純物を濾過して、給水トレイ２と貯水タンク１内の水質を確保し、水質の劣化を遅らせ、ペット飲水の味を改善し、そして、給水トレイ２は貯水タンク１の上端に設けられ、給水トレイ２がペットによって簡単に転倒されない。水循環システム全体の構造が簡単でコンパクトであり、一目で明確になる。
【００６１】
本発明の別の実施例によって提供されるペット給水装置は、貯水タンク１、給水トレイ２、フィルターエレメント６、フィルターエレメントトレイ９、ウォーターポンプ５、水汲み上げパイプライン２０、および制御装置１１を備え、給水トレイ２の上面は凹んで、給水トレイ２に水入口３が設けられ、給水トレイ２の上面の凹んでいない部分に水出口４が設けられ、フィルターエレメントトレイ９は給水トレイ２の下方に設けられ、水出口４の下方に位置し、給水トレイ２とフィルターエレメントトレイ９によって空洞構造を形成し、フィルターエレメント６は給水トレイ２とフィルターエレメントトレイ９によって形成された空洞内に配置され、フィルターエレメントトレイ９上に出水孔が設けられ、水汲み上げパイプライン２０の下端口が貯水タンク１の内側底部に位置し、水汲み上げパイプライン２０の上端口は給水トレイ２の水入口３に密閉的に接続され、ウォーターポンプ５の水出口は水汲み上げパイプライン２０の水入口に直接接続され、ウォーターポンプ５は水汲み上げパイプライン２０の真下に位置し、制御装置１１は貯水タンク１の外側底部に配置される。
【００６２】
より好ましい解決策では、給水トレイ２の上面の凹んでいない部分に設けられた水出口穴はすべて給水トレイ２の縁に配置される。
【００６３】
制御装置１１はウォーターポンプ５の開閉を制御するために用いられ、これは従来の既知技術であるため詳細な説明を省略する。
【００６４】
作業原理の説明：ウォーターポンプは貯水タンクの内側底部の水を水汲み上げパイプラインを介して給水トレイ内に輸送し、給水トレイのくぼみに輸送される水が増えると、給水トレイ内の水が窪んでいない部分に設けられた水出口を介して給水トレイとフィルターエレメントトレイで構成された空洞内に流入し、空洞内にフィルターエレメントが配置されているため、下向きに流れる水がフィルターエレメントによって濾過され、フィルターエレメントによって濾過された水がまたフィルターエレメントトレイの出水孔を介して貯水タンクの底部に流入し、このようにして完全な循環を形成し、この循環により給水トレイ内の水が常に流れる状態になる。
【００６５】
本発明の実施例によって提供されるペット給水装置では、フィルターエレメントトレイが給水トレイの下方に配置され、水出口の真下に位置し、給水トレイとフィルターエレメントトレイによって空洞構造を形成し、このような一体的な設計により水がより効率的に濾過され、かつ水を交換する場合の操作がより簡単になる。また、ウォーターポンプの水出口が直接水汲み上げパイプラインの水入口に接続され、ウォーターポンプが水汲み上げパイプラインの真下に位置する設計により、貯水タンクのスペースを大幅に節約でき、製品の製造および組立プロセスがより効率的になる。
【００６６】
本発明の実施例はまたペット給水装置用のブロッキング防止ウォーターポンプを提供する。従来技術のウォーターポンプでは、濾過技術が比較的悪く、ウォーターポンプの内部で詰まりを引き起こしやすく、または異物がウォーターポンプのブレードに巻き込まれ、ウォーターポンプの作業効率および品質に悪影響を与える。本出願者は、従来技術には少なくとも以下の技術的問題があることを発見した。従来技術のウォーターポンプ濾過システムは、ウォーターポンプの外側に１つのグリッド構造を有するが、グリッド構造のギャップは比較的大きく、濾過効果が比較的悪く、全体的な濾過効果が低く、水中の細い不純物およびペットの毛の不純物を濾過できず、水質に悪影響を与えるだけでなく、不純物がウォーターポンプに入るとウォーターポンプの詰まりを引き起こし、ウォーターポンプの作業効率が低下する。
【００６７】
以下、図５〜図７を参照して本発明の実施例によって提供されるペット給水装置用のブロッキング防止ウォーターポンプを詳細に説明する。
【００６８】
図５および図６を参照すると、本発明の一実施例によって提供されるペット給水装置用のブロッキング防止ウォーターポンプは、水中の不純物を粗い濾過し、スロット１４が開設されるケーシング１２と、スロット１４を介してポンプ本体の水流路に配置され、ケーシング１２を通過してポンプ本体内に入る水中の不純物を濾過するための第２のフィルター本体１３と、ケーシング１２と係合されてウォーターポンプ作業キャビティを形成するウォーターポンプ本体（すなわち、ウォーターポンプ５の本体部分）とを備える。
【００６９】
本発明の実施例によって提供されるペット給水装置用のブロッキング防止ウォーターポンプは、ケーシングと第２のフィルター本体を設けることにより、水がウォーターポンプに入る前にケーシングによって粗い濾過された後第２のフィルター本体によって細い濾過され、水中の不純物がウォーターポンプに入ることによりウォーターポンプの詰まりが引き起こされるのを防ぎ、ひいてはウォーターポンプの作業効率の安定性を確保できる。
本発明の一実施例によれば、第２のフィルター本体１３はスロット１４内に配置される。
【００７０】
具体的には、第２のフィルター本体１３はスロット１４の内壁に密着しており、第２のフィルター本体のある側のみ水が通過できるようになり、濾過効率が向上する。
【００７１】
本発明の一実施例によれば、ケーシング１２のウォーターポンプ本体から離れた側にグリッド構造１５を有する。
【００７２】
このようにして、グリッド構造１５によりブロッキング防止ウォーターポンプに入る水を粗い濾過して、体積の大きい不純物を濾過することができる。
【００７３】
本発明の一実施例によれば、スロット１４はＵ字形の溝である。
【００７４】
具体的には、Ｕ字形のスロットにより、第２のフィルター本体１３を容易に着脱可能になり、便利で迅速である。
【００７５】
本発明の一実施例によれば、第２のフィルター本体１３の形状はスロット１４の形状に適合されている。
【００７６】
具体的には、スロット１４はＵ字形の溝であり、第２のフィルター本体１３の外面はＵ字形の溝の縁に合わせて、すなわち第２のフィルター本体１３の形状はスロット１４の形状と類似または同様であり得、第２のフィルター本体１３とスロット１４の配合がより適切になる。
【００７７】
このようにして、ケーシング１２を通過する水はすべて第２のフィルター本体１３によって濾過され、濾過効率が向上する。
【００７８】
本発明の一実施例によれば、第２のフィルター本体１３はスポンジである。
【００７９】
スポンジの穴が小さく、体積の小さい不純物を濾過でき、より徹底的に水中の不純物を濾過することができる。同時に、スポンジは良好な水透過性を有し、水がスポンジを容易に通過してウォーターポンプ本体に入る。
【００８０】
本発明の一実施例によれば、ケーシング１２のウォーターポンプ本体に近い一端にノッチが設けられる。
【００８１】
具体的には、ノッチにより、ケーシング１２とウォーターポンプ本体がより適切に配合され得る。
【００８２】
本発明の一実施例によれば、図７に示すように、ウォーターポンプ本体のブレードの端部の中心に防汚構造１９が設けられ、防汚構造１９は複数のブレード間の隙間に埋められる。
【００８３】
防汚構造１９をウォーターポンプ本体のブレード中心に設けることで、作業中、ウォーターポンプ本体の内部に不純物が蓄積することがなく、二重のブロッキング防止効果を果たす。
【００８４】
本発明の一実施例によれば、防汚構造１９とブレードは一体的に成形される。
【００８５】
防汚構造１９とブレードの一体成形により、防汚構造１９とブレードがより適切に配合され、より良好な防汚効果を果たす。
【００８６】
本発明の実施例では、ケーシングおよび第２のフィルター本体を設けることで、水中の不純物をよりよく濾過でき、ウォーターポンプ本体のブロッキングを防ぐ作用を果たし、同時にウォーターポンプ本体のブレード中心にもけられた防汚構造により、ウォーターポンプ本体のブロッキングを防ぐ作用も果たす。
【００８７】
上記の実施例における同じまたは類似の部分は、互いに参照され得、いくつかの実施例で詳細に説明されていないコンテンツについては、他の実施例の同じまたは類似のコンテンツを参照することができることが理解され得る。本発明によって提供される複数の解決策は独自の基本スキームを含み、互いに独立しており、互いに制限されていなく、矛盾しない限りそれらを互いに組み合わせて、複数の効果を達成することもできる。
【００８８】
以上、本発明の具体的な実施形態を説明したが、本発明の保護範囲はこれらに限定されなく、当業者は、本発明によって開示される技術的範囲内に容易に想到した変更や置換は、すべて本発明の保護範囲に含まれる。したがって、本発明の保護範囲は前記の特許請求の範囲の保護範囲に従うものとする。
【符号の説明】
【００８９】
１        貯水タンク
１０１    第１の支持構造
２        給水トレイ
３        水入口
４        水出口
５        ウォーターポンプ
６        第１のフィルター本体
７        窪み
８        把持部
９        第２の支持構造
１０      貫通穴
１１      制御装置
１２      ケーシング
１３      第２のフィルター本体
１４      スロット
１５      グリッド構造
１６      ハウジング
１７      滑り止めパッド
１８      帯状穴
１９      防汚構造
２０      パイプライン
【図１】
2021531010.tif 000003
【図２】
2021531010.tif 000004
【図３】
2021531010.tif 000005
【図４】
2021531010.tif 000006
【図５】
2021531010.tif 000007
【図６】
2021531010.tif 000008
【図７】
2021531010.tif 000009
【国際調査報告】
2021531010.tif 000010
2021531010.tif 000011
2021531010.tif 000012
2021531010.tif 000013
2021531010.tif 000014
2021531010.tif 000015